(57)【要約】【課題】小型化が図れる光学装置を提供する。【解決手段】光学装置本体４５Ａは、クロスダイクロイックプリズム４５４の各光束入射側端面４５４１Ａに交差する上下面にそれぞれ固定される台座４５５と、光束入射側端面４５４１Ａおよび光変調装置４５１の間に介在配置され、光変調装置４５１を各台座４５５の側面に固定するための保持部材４５７とを備える。各台座４５５の側面には、保持部材４５７を固定するための固定用孔４５５２Ａが形成されている。保持部材４５７は、光束入射側に向けて突出し、固定用孔４５５２Ａに挿通される固定用突出部４５７２を有している。【選択図】図２
2009104041.tif 000002
【特許請求の範囲】
【請求項１】
複数の色光を色光毎に画像情報に応じて変調する複数の光変調装置と、各光変調装置に対向する複数の光束入射側端面を有し各光変調装置で変調された色光を合成して画像光を形成する色合成光学装置とを備えた光学装置であって、
前記色合成光学装置の前記複数の光束入射側端面に交差する一対の端面のうち少なくともいずれか一方に固定される台座と、
前記光束入射側端面および前記光変調装置の間に介在配置され、前記光変調装置を前記台座の側面に固定するための保持部材とを備え、
前記台座の側面には、前記保持部材を固定するための固定用孔が形成され、
前記保持部材は、光束入射側に向けて突出し、前記固定用孔に挿通される固定用突出部を有している
ことを特徴とする光学装置。
【請求項２】
請求項１に記載の光学装置において、
前記台座は、
前記色合成光学装置に固定される板状の基部と、
前記複数の光束入射側端面に対応して前記基部の板面に立設され、前記台座の側面を構成する板状の複数の側面部とを備え、
前記固定用孔は、前記側面部に貫通形成されている
ことを特徴とする光学装置。
【請求項３】
請求項１または請求項２に記載の光学装置において、
前記台座は、前記一対の端面の双方にそれぞれ固定される２つで構成され、
前記２つの台座のうち少なくともいずれか一方の台座には、前記２つの台座の対向する方向に貫通する貫通孔が形成されている
ことを特徴とする光学装置。
【請求項４】
請求項１から請求項３のいずれかに記載の光学装置において、
前記台座には、前記色合成光学装置に固定される固定面から側面にかけて切り欠かれた切り欠き部が形成されている
ことを特徴とする光学装置。
【請求項５】
光源装置と、請求項１から請求項４のいずれかに記載の光学装置と、前記光学装置にて形成された画像光を拡大投射する投射光学装置とを備えていることを特徴とするプロジェクタ。
【請求項６】
光源装置と、複数の色光を色光毎に画像情報に応じて変調する複数の光変調装置、および各光変調装置に対向する複数の光束入射側端面を有し各光変調装置で変調された色光を合成して画像光を形成し光束射出側端面から前記画像光を射出する色合成光学装置が一体化された光学装置と、前記画像光を拡大投射する投射光学装置とを備えたプロジェクタであって、
前記光学装置を当該プロジェクタ内部に固定するための光学装置固定部材を備え、
前記光学装置固定部材は、前記光学装置から射出される画像光の光軸に略直交して延出する位置基準面を有し、
前記光学装置は、前記光軸に略直交して延出する当接面を有し、前記位置基準面に前記当接面が押し当てられた状態で前記光学装置固定部材に固定される
ことを特徴とするプロジェクタ。
【請求項７】
請求項６に記載のプロジェクタにおいて、
前記光学装置固定部材には、前記光軸に略直交する方向に窪む凹部が形成され、
前記凹部には、内側面の一部に前記位置基準面が形成され、
前記光学装置は、前記色合成光学装置の前記複数の光束入射側端面に交差する一対の端面のうち少なくともいずれか一方に固定される台座を備え、
前記台座には、前記凹部に嵌合する嵌合部が形成され、
前記嵌合部には、外側面の一部に前記当接面が形成され、
前記凹部および前記嵌合部のうちいずれか一方は、前記位置基準面または前記当接面に対して傾斜した傾斜面を有する楔形状を有している
ことを特徴とするプロジェクタ。
【請求項８】
請求項６に記載のプロジェクタにおいて、
前記光学装置固定部材は、前記光軸に略直交して延出する板状に形成され、
前記位置基準面は、前記光学装置固定部材の板面で構成され、
前記光学装置は、前記色合成光学装置の前記複数の光束入射側端面に交差する一対の端面のうち少なくともいずれか一方に固定される台座を備え、
前記台座は、前記光束射出側端面に対応して設けられ、前記光軸に略直交して延出する板状の固定部を備え、
前記当接面は、前記固定部の板面で構成されている
ことを特徴とするプロジェクタ。
【請求項９】
請求項６に記載のプロジェクタにおいて、
前記色合成光学装置は、底面部に前記光束入射側端面をそれぞれ有する３つの第１三角柱プリズムと、底面部に前記光束射出側端面を有する第２三角柱プリズムとを備え、前記３つの第１三角柱プリズムおよび前記第２三角柱プリズムが頂角同士を中心に近接配置されるとともに前記底面部が外側に配置された断面略矩形形状を有し、
前記第２三角柱プリズムは、前記３つの第１三角柱プリズムのうち前記第２三角柱プリズムに対向配置される第１三角柱プリズムよりも断面形状が大きく形成され、前記３つの第１三角柱プリズムに対して組み合わせた際に、隣接する２つの各前記光束入射側端面から外側に張り出した一対の張出部が設けられ、
前記当接面は、前記光束射出側端面で構成され、
前記光学装置固定部材は、前記一対の張出部を挿入する一対の溝部を有し、
前記一対の溝部は、内側面の一部に前記位置基準面が形成されている
ことを特徴とするプロジェクタ。
【請求項１０】
請求項７から請求項９のいずれかに記載のプロジェクタにおいて、
当該プロジェクタを構成する光学部品を内部に収納する光学部品用筐体を備え、
前記光学装置固定部材は、前記光学部品用筐体に一体形成されている
ことを特徴とするプロジェクタ。
【請求項１１】
請求項７から請求項９のいずれかに記載のプロジェクタにおいて、
前記投射光学装置は、複数のレンズを内部に収納する鏡筒と、前記鏡筒の基端側に設けられるフランジ部とを備え、
前記光学装置固定部材は、前記フランジ部に設けられている
ことを特徴とするプロジェクタ。
【発明の詳細な説明】
【技術分野】
【０００１】
本発明は、光学装置、およびプロジェクタに関する。
【背景技術】
【０００２】
従来、３枚の液晶パネル（光変調装置）により色光毎に画像情報に応じて変調し、変調後の各色光をクロスダイクロイックプリズム（色合成光学装置）で合成して画像光を形成する、いわゆる三板式の光学装置を備えたプロジェクタが知られている。
このような光学装置では、プリズムに液晶パネルを一体に組み付けて、組立性の向上を図っている（例えば、特許文献１参照）。
特許文献１に記載の光学装置は、プリズムおよび液晶パネルの間に介在配置され、液晶パネルを保持しつつ、プリズムの光束入射側端面に固定される保持部材（偏光板保持体）を備える。
また、特許文献１に記載の光学装置は、プリズムの下面に固定され、該光学装置全体を光学部品用筐体に取り付けるため台座を備える。そして、光学装置は、ねじを上方側から台座の取付部に挿通し光学部品用筐体の底面にねじを螺合することで、光学部品用筐体に対する所望の位置に固定される。
【０００３】
【特許文献１】特開２００３−２１５７０１号公報
【発明の開示】
【発明が解決しようとする課題】
【０００４】
しかしながら、特許文献１に記載の光学装置では、プリズムの光束入射側端面に保持部材が固定されるため、プリズムの光束入射側端面が保持部材を固定するために十分な面積を持っていることが必要となる。このため、プリズムの小型化を阻害し、ひいては、光学装置の小型化を阻害してしまう。
また、特許文献１に記載の技術では、プリズムに対して各液晶パネルを位置調整し、プリズムに対して保持部材を介して各液晶パネルを固定して光学装置を製造した後、光学装置を光学部品用筐体に固定する際、光学装置と光学部品用筐体との各部材間の製造公差により画像光の光軸方向にガタツキが生じ、光学部品用筐体に対する所望の位置から光学装置がずれてしまう恐れがある。具体的に、上述した製造公差としては、台座の取付部とねじとの製造公差や、光学部品用筐体の底面に形成されたねじ孔とねじとの製造公差等が挙げられる。光学部品用筐体に対する所望の位置から光学装置がずれた場合には、光学装置の製造時において、プリズムに対して所望の位置に各液晶パネルを位置付けておいても、投射レンズのバックフォーカス位置から各液晶パネルがずれた位置に位置付けられることとなる。このため、プロジェクタから投射される投影画像のフォーカス精度が低下し、鮮明な投影画像を表示することが難しい。
【０００５】
本発明の第１の目的は、小型化が図れる光学装置、およびプロジェクタを提供することにある。
また、本発明の第２の目的は、鮮明な投影画像を表示できるプロジェクタを提供することにある。
【課題を解決するための手段】
【０００６】
本発明の光学装置は、複数の色光を色光毎に画像情報に応じて変調する複数の光変調装置と、各光変調装置に対向する複数の光束入射側端面を有し各光変調装置で変調された色光を合成して画像光を形成する色合成光学装置とを備えた光学装置であって、前記色合成光学装置の前記複数の光束入射側端面に交差する一対の端面のうち少なくともいずれか一方に固定される台座と、前記光束入射側端面および前記光変調装置の間に介在配置され、前記光変調装置を前記台座の側面に固定するための保持部材とを備え、前記台座の側面には、前記保持部材を固定するための固定用孔が形成され、前記保持部材は、光束入射側に向けて突出し、前記固定用孔に挿通される固定用突出部を有していることを特徴とする。
【０００７】
本発明では、光学装置を構成する保持部材は、光変調装置を保持しつつ、色合成光学装置の上面および下面（各光束入射側端面に交差する一対の端面）のうち少なくともいずれか一方に固定された台座の側面に固定される。このことにより、色合成光学装置の光束入射側端面に光変調装置を固定する領域が不要となる。このため、色合成光学装置を小型化でき、ひいては、光学装置の小型化が図れる。したがって、本発明の第１の目的を達成できる。
また、台座の側面に固定用孔が形成され、保持部材が固定用突出部を有しているので、以下に示すように、光学装置を容易に製造できる。
すなわち、外周に光硬化型接着剤が塗布された固定用突出部を固定用孔に挿通した状態で、固定用孔に対して固定用突出部を進退させて保持部材を移動させたり、固定用孔と固定用突出部との隙間分で保持部材を移動させたりすることで、色合成光学装置に対する光変調装置の位置調整を実施する。そして、色合成光学装置に対する所望の位置に光変調装置を位置付けた後、固定用孔および固定用突出部間の光硬化型接着剤に紫外線等の光を照射して硬化させ、色合成光学装置に対して光変調装置を固定する。
【０００８】
本発明の光学装置では、前記台座は、前記色合成光学装置に固定される板状の基部と、前記複数の光束入射側端面に対応して前記基部の板面に立設され、前記台座の側面を構成する板状の複数の側面部とを備え、前記固定用孔は、前記側面部に貫通形成されていることが好ましい。
本発明では、台座は、複数の光束入射側端面に対応して基部に立設される複数の側面部を備えている。すなわち、複数の側面部は、基部の外周縁において、基部を囲むように形成されている。そして、固定用孔は、側面部に貫通形成されている。このことにより、上述したように、色合成光学装置に対する所望の位置に各光変調装置を位置付けた後、基部に対向する側から紫外線等の光を照射することで、各光変調装置をそれぞれ保持する各保持部材の各固定用突出部と各側面部の各固定用孔との間の光硬化型接着剤に一括して光を照射し硬化させることができる。このため、光学装置の製造時間を短縮できる。
【０００９】
さらに、従来の光学装置では、光変調装置を保持する保持枠の四隅に取付孔がそれぞれ形成されている。そして、外周に光硬化型接着剤が塗布されたピンスペーサを取付孔に挿通し、ピンスペーサの外周を取付孔の内周に密着させながら、ピンスペーサの端部を保持部材に密着させる。色合成光学装置に対する所望の位置に光変調装置を位置調整した後、光束入射側から各ピンスペーサに紫外線等の光を照射し、ピンスペーサおよび取付孔間と、ピンスペーサおよび保持部材間との光硬化型接着剤を硬化させて、保持部材に対して光変調装置を固定する。すなわち、従来、光学装置を製造する製造装置としては、保持枠の四隅に対応して紫外線等の光を照射する構造が必要とされている。このため、光変調装置の設計変更等により、光変調装置のサイズが変更された場合、すなわち、各取付孔の位置が変更された場合には、それに対応して、紫外線等の光を照射する構造を変更する必要がある。
これに対して、本発明では、光学装置を製造する製造装置としては、上述したように基部に対向する側から紫外線等の光を照射する構造を採用できるため、光変調装置の設計変更等により、光変調装置のサイズが変更された場合であっても、紫外線等の光を照射する構造を変更する必要がない。
【００１０】
本発明の光学装置では、前記台座は、前記一対の端面の双方にそれぞれ固定される２つで構成され、前記２つの台座のうち少なくともいずれか一方の台座には、前記２つの台座の対向する方向に貫通する貫通孔が形成されていることが好ましい。
本発明では、色合成光学装置の上面および下面にそれぞれ固定された各台座のうち少なくともいずれか一方の台座には、２つの台座の対向する方向に貫通する貫通孔が形成されている。このことにより、例えば、色合成光学装置に対して光硬化型接着剤にて各台座を固定する際に、貫通孔が形成された一方の台座側から紫外線等の光を照射すれば、色合成光学装置を介して他方の台座および色合成光学装置間の光硬化型接着剤に光が照射されて光硬化型接着剤を硬化できる。また、前記他方の台座にて反射した光が色合成光学装置を介して前記一方の台座および色合成光学装置間の光硬化型接着剤に照射されて該光硬化型接着剤を硬化できる。したがって、色合成光学装置に対して２つの台座を一括して固定でき、光学装置の製造時間を短縮できる。
【００１１】
本発明の光学装置では、前記台座には、前記色合成光学装置に固定される固定面から側面にかけて切り欠かれた切り欠き部が形成されていることが好ましい。
本発明によれば、台座には、切り欠き部が形成されているので、光学装置の製造時や、製造後に、例えば光変調装置等の交換が必要となった場合、切り欠き部（色合成光学装置と台座との隙間）にドライバ等の工具を差し込むことができる。このため、色合成光学装置に対して台座を容易に引き剥がすことができ、光変調装置等を交換できる。
【００１２】
本発明のプロジェクタは、光源装置と、上述した光学装置と、前記光学装置にて形成された画像光を拡大投射する投射光学装置とを備えていることを特徴とする。
本発明によれば、プロジェクタは、上述した光学装置を備えているので、上述した光学装置と同様の作用および効果を享受できる。
また、光学装置の小型化が図れるので、プロジェクタの小型化も図れる。
【００１３】
本発明のプロジェクタは、光源装置と、複数の色光を色光毎に画像情報に応じて変調する複数の光変調装置、および各光変調装置に対向する複数の光束入射側端面を有し各光変調装置で変調された色光を合成して画像光を形成し光束射出側端面から前記画像光を射出する色合成光学装置が一体化された光学装置と、前記画像光を拡大投射する投射光学装置とを備えたプロジェクタであって、前記光学装置を当該プロジェクタ内部に固定するための光学装置固定部材を備え、前記光学装置固定部材は、前記光学装置から射出される画像光の光軸に略直交して延出する位置基準面を有し、前記光学装置は、前記光軸に略直交して延出する当接面を有し、前記位置基準面に前記当接面が押し当てられた状態で前記光学装置固定部材に固定されることを特徴とする。
【００１４】
本発明では、プロジェクタは、光学装置から射出される画像光の光軸に略直交して延出する位置基準面を有する光学装置固定部材を備える。そして、光学装置は、画像光の光軸に略直交して延出する当接面が位置基準面に押し当てられた状態で、すなわち、光軸方向の位置が規定された状態でプロジェクタ内部に固定される。このことにより、光学装置を製造した後にプロジェクタ内部に搭載する際、光学装置を画像光の光軸方向にガタツキのない状態でプロジェクタ内部に固定できる。このため、投射光学装置（投射レンズ）のバックフォーカス位置から各光変調装置がずれた位置に位置付けられることがなく、プロジェクタから投射される投影画像のフォーカス精度を良好に維持し、鮮明な投影画像を表示できる。したがって、本発明の第２の目的を達成できる。
【００１５】
本発明のプロジェクタでは、前記光学装置固定部材には、前記光軸に略直交する方向に窪む凹部が形成され、前記凹部には、内側面の一部に前記位置基準面が形成され、前記光学装置は、前記色合成光学装置の前記複数の光束入射側端面に交差する一対の端面のうち少なくともいずれか一方に固定される台座を備え、前記台座には、前記凹部に嵌合する嵌合部が形成され、前記嵌合部には、外側面の一部に前記当接面が形成され、前記凹部および前記嵌合部のうちいずれか一方は、前記位置基準面または前記当接面に対して傾斜した傾斜面を有する楔形状を有していることが好ましい。
【００１６】
本発明では、光学装置固定部材は、内側面の一部に位置基準面が形成された凹部を有する。また、光学装置を構成する台座は、外側面の一部に当接面が形成された嵌合部を有する。そして、凹部および嵌合部のうちいずれか一方は、楔形状を有する。このことにより、例えば、嵌合部が楔形状を有している場合には、凹部に対して嵌合部を嵌合させる際に、嵌合部は、凹部の縁部に傾斜面が当接した状態で、さらに凹部に対して挿入されることで、凹部の位置基準面に向けて付勢されることとなる。このため、嵌合部は、位置基準面に当接面が押し当てられた状態で、凹部に対して嵌合する。したがって、凹部に対して嵌合部を嵌合させるだけで、光学装置の光軸方向の位置を規定できる。
【００１７】
本発明のプロジェクタでは、前記光学装置固定部材は、前記光軸に略直交して延出する板状に形成され、前記位置基準面は、前記光学装置固定部材の板面で構成され、前記光学装置は、前記色合成光学装置の前記複数の光束入射側端面に交差する一対の端面のうち少なくともいずれか一方に固定される台座を備え、前記台座は、前記光束射出側端面に対応して設けられ、前記光軸に略直交して延出する板状の固定部を備え、前記当接面は、前記固定部の板面で構成されていることが好ましい。
【００１８】
本発明では、光学装置固定部材は、板面が位置基準面となる板状に構成されている。また、光学装置を構成する台座は、板面が当接面となる板状の固定部を有する。このことにより、位置基準面に固定部の当接面を当接した状態で、例えば、ねじ等により固定部と光学装置固定部材とを締結すれば、光学装置の光軸方向の位置を規定した状態で光学装置固定部材に対して光学装置を固定できる。このため、光学装置の光軸方向の位置を規定する構造を簡素な構造で実現できる。
【００１９】
本発明のプロジェクタでは、前記色合成光学装置は、底面部に前記光束入射側端面をそれぞれ有する３つの第１三角柱プリズムと、底面部に前記光束射出側端面を有する第２三角柱プリズムとを備え、前記３つの第１三角柱プリズムおよび前記第２三角柱プリズムが頂角同士を中心に近接配置されるとともに前記底面部が外側に配置された断面略矩形形状を有し、前記第２三角柱プリズムは、前記３つの第１三角柱プリズムのうち前記第２三角柱プリズムに対向配置される第１三角柱プリズムよりも断面形状が大きく形成され、前記３つの第１三角柱プリズムに対して組み合わせた際に、隣接する２つの各前記光束入射側端面から外側に張り出した一対の張出部が設けられ、前記当接面は、前記光束射出側端面で構成され、前記光学装置固定部材は、前記一対の張出部を挿入する一対の溝部を有し、前記一対の溝部は、内側面の一部に前記位置基準面が形成されていることが好ましい。
【００２０】
本発明では、色合成光学装置を構成する第２三角柱プリズムは、対向する第１三角柱プリズムよりも断面形状が大きく形成され、色合成光学装置を組み立てた際に、隣接する２つの第１三角柱プリズムの各光束入射側端面から外側に張り出した一対の張出部が設けられる。また、色合成光学装置の光束射出側端面が当接面で構成されている。そして、光学装置固定部材は、内側面の一部に位置基準面が形成された一対の溝部を有する。ここで、第２三角柱プリズムの断面形状が三角形状であるため、一対の張出部は、それぞれ楔形状を有するものとなる。このことにより、一対の張出部を一対の溝部に挿入することで、一対の張出部は、一対の溝部の縁部に当接面を除く他の傾斜面が当接し、一対の溝部の位置基準面に向けて付勢されることとなる。このため、一対の張出部は、位置基準面に当接面が押し当てられた状態で、一対の溝部に挿入される。したがって、一対の溝部に対して一対の張出部を挿入するだけで、光学装置の光軸方向の位置を規定できる。また、当接面が色合成光学装置に設けられているため、台座等の他の部材に当接面を設ける必要がなく、光学装置の構造の簡素化が図れる。
【００２１】
本発明のプロジェクタでは、当該プロジェクタを構成する光学部品を内部に収納する光学部品用筐体を備え、前記光学装置固定部材は、前記光学部品用筐体に一体形成されていることが好ましい。
本発明では、光学装置固定部材は、光学部品用筐体に一体形成されている。このことにより、光学部品用筐体および光学装置固定部材間の位置ずれが生じず、光学装置を光学装置固定部材（光学部品用筐体）に固定することで、光学装置の光軸方向の位置を確実に規定できる。
【００２２】
本発明のプロジェクタでは、前記投射光学装置は、複数のレンズを内部に収納する鏡筒と、前記鏡筒の基端側に設けられるフランジ部とを備え、前記光学装置固定部材は、前記フランジ部に設けられていることが好ましい。
本発明では、光学装置固定部材は、投射光学装置のフランジ部に設けられている。このことにより、光学装置を光学装置固定部材に固定することで、光学装置を投射光学装置に対して直接、固定することができる。このため、光学装置固定部材を介して投射光学装置および光学装置を一体化したユニットを光学部品用筐体等のプロジェクタ内部に搭載した後、光学部品用筐体内部において前記ユニットの位置がずれた場合であっても、投射光学装置のバックフォーカス位置から各光変調装置がずれることがない。
【発明を実施するための最良の形態】
【００２３】
[第１実施形態]
以下、本発明の第１実施形態を図面に基づいて説明する。
〔プロジェクタの構成〕
図１は、プロジェクタ１の概略構成を模式的に示す図である。なお、図１では、説明の便宜上、画像光の光軸（プロジェクタ１からの投射方向）をＺ軸とし、Ｚ軸に直交する２軸をＸ軸（水平軸）およびＹ軸（鉛直軸）とする。以下の図面も同様である。
プロジェクタ１は、光源から射出される光束を画像情報に応じて変調してカラー画像（画像光）を形成し、このカラー画像をスクリーン（図示略）上に拡大投射する。このプロジェクタ１は、図１に示すように、略直方体状の外装筐体２と、投射光学装置としての投射レンズ３と、光学ユニット４等を備える。
なお、図１において、具体的な図示は省略したが、外装筐体２内において、投射レンズ３および光学ユニット４以外の空間には、プロジェクタ１内部の各構成部材を冷却する冷却ファン等を備えた冷却ユニット、プロジェクタ１内部の各構成部材に電力を供給する電源ユニット、およびプロジェクタ１内部の各構成部材を制御する制御装置等が配置されるものとする。
【００２４】
外装筐体２は、プロジェクタ１の天面、前面、背面、および側面をそれぞれ構成するアッパーケース、およびプロジェクタ１の底面、前面、背面、および側面をそれぞれ構成するロアーケース等で構成される。そして、各ケースは、互いにねじ等で固定されている。
投射レンズ３は、複数のレンズを組み合わせた組レンズとして構成され、光学ユニット４にて形成されたカラー画像をスクリーン上に拡大投射する。
【００２５】
光学ユニット４は、前記制御装置による制御の下、光源から射出された光束を光学的に処理して画像信号に対応したカラー画像を形成するユニットである。この光学ユニット４は、図１に示すように、光源装置４１と、照明光学装置４２と、色分離光学装置４３と、リレー光学装置４４と、光学装置４５と、これら各光学部品４１〜４５を内部に設定された照明光軸Ａに対する所定位置に配置する光学部品用筐体４６とを備える。
光源装置４１は、図１に示すように、光源ランプ４１１およびリフレクタ４１２等を備える。そして、光源装置４１は、光源ランプ４１１から射出された光束がリフレクタ４１２によって射出方向が揃えられ、照明光学装置４２に向けて光束を射出される。
【００２６】
照明光学装置４２は、図１に示すように、第１レンズアレイ４２１、第２レンズアレイ４２２、偏光変換素子４２３、および重畳レンズ４２４を備える。そして、光源装置４１から射出された光束は、第１レンズアレイ４２１によって複数の部分光束に分割され、第２レンズアレイ４２２の近傍で結像する。第２レンズアレイ４２２から射出された各部分光束は、その中心軸（主光線）が偏光変換素子４２３の入射面に垂直となるように入射し、偏光変換素子４２３にて略１種類の直線偏光光として射出される。偏光変換素子４２３から直線偏光光として射出され、重畳レンズ４２４を介した複数の部分光束は、光学装置４５の後述する３枚の液晶パネル上で重畳する。
【００２７】
色分離光学装置４３は、図１に示すように、２枚のダイクロイックミラー４３１，４３２、および反射ミラー４３３を備え、これらのダイクロイックミラー４３１，４３２、反射ミラー４３３により照明光学装置４２から射出された複数の部分光束を赤、緑、青の３色の色光に分離する機能を有する。
リレー光学装置４４は、図１に示すように、入射側レンズ４４１、リレーレンズ４４３、および反射ミラー４４２，４４４を備え、色分離光学装置４３で分離された色光、例えば、赤色光を光学装置４５の後述する赤色光側の光変調装置（液晶パネル）まで導く機能を有する。
【００２８】
光学装置４５は、入射した光束を画像情報に応じて変調して画像光（カラー画像）を形成するものである。この光学装置４５は、図１に示すように、光変調素子としての液晶パネル４５１１（図２参照）を有する３つの光変調装置４５１（赤色光側の光変調装置を４５１Ｒ、緑色光側の光変調装置を４５１Ｇ、青色光側の光変調装置を４５１Ｂとする）と、各光変調装置４５１の光路前段側に配置される入射側偏光板４５２と、各光変調装置４５１の光路後段側に配置される射出側偏光板４５３と、色合成光学装置としてのクロスダイクロイックプリズム４５４とを備える。そして、これら各部材４５１〜４５５のうち、各光変調装置４５１、各射出側偏光板４５３、およびクロスダイクロイックプリズム４５４が一体化されて光学装置本体４５Ａを構成する（図２参照）。なお、光学装置本体４５Ａとしては、これら各部材４５１、４５３，４５４の他、各入射側偏光板４５２も一体化する構成を採用しても構わない。
なお、光学装置本体４５Ａの具体的な構成については、後述する。
【００２９】
３つの入射側偏光板４５２は、色分離光学装置４３で分離された各光束のうち、偏光変換素子４２３で揃えられた偏光方向と略同一の偏光方向を有する偏光光のみ透過させ、その他の光束を吸収するものであり、透光性基板上に偏光膜が貼付されて構成されている。
３つの光変調装置４５１を構成する各液晶パネル４５１１は、一対の透明なガラス基板に電気光学物質である液晶が密閉封入された構成を有し、前記制御装置からの駆動信号に応じて、前記液晶の配向状態が制御され、入射側偏光板４５２から射出された偏光光束の偏光方向を変調する。
【００３０】
３つの射出側偏光板４５３は、入射側偏光板４５２と略同様の機能を有し、液晶パネル４５１１を介して射出された光束のうち、一定方向の偏光光を透過し、その他の光束を吸収する。
【００３１】
クロスダイクロイックプリズム４５４は、射出側偏光板４５３から射出された色光毎に変調された各色光を合成してカラー画像を形成する。このクロスダイクロイックプリズム４５４は、底面部に光束入射側端面４５４１Ａをそれぞれ有する３つの第１三角柱プリズム４５４１と、底面部に光束射出側端面４５４２Ａを有する第２三角柱プリズム４５４２とを備える（図２参照）。そして、クロスダイクロイックプリズム４５４は、各第１三角柱プリズム４５４１および第２三角柱プリズム４５４２が頂角同士を中心に近接配置されるとともに底面部が外側に配置されるように貼り合わせられ、断面略正方形状を有する。また、具体的な図示は省略したが、各第１三角柱プリズム４５４１および第２三角柱プリズム４５４２同士を貼り合わせた界面には、２つの誘電体多層膜が形成されている。これら誘電体多層膜は、光変調装置４５１Ｇから射出され射出側偏光板４５３を介した色光を透過し、各光変調装置４５１Ｒ，４５１Ｂから射出され各射出側偏光板４５３を介した各色光を反射する。このようにして、各色光が合成されてカラー画像が形成される。そして、クロスダイクロイックプリズム４５４で形成されたカラー画像は、上述した投射レンズ３によりスクリーンへ拡大投射される。
【００３２】
〔光学装置本体の構成〕
図２は、光学装置本体４５Ａの概略構成を示す分解斜視図である。
なお、図２では、光学装置本体４５Ａにおいて、光変調装置４５１Ｇ側のみを分解しているが、各光変調装置４５１Ｒ，４５１Ｂ側も光変調装置４５１Ｇ側と同様の構造を有しているものとする。
光学装置本体４５Ａは、上述した各光変調装置４５１、各射出側偏光板４５３、およびクロスダイクロイックプリズム４５４の他、図２に示すように、一対の台座４５５と、３つの偏光板支持部材４５６と、３つの保持部材４５７とを備え、これら各部材４５１，４５３〜４５７が一体化されたものである。
【００３３】
ここで、光変調装置４５１は、上述した液晶パネル４５１１の他、図２に示すように、液晶パネル４５１１を保持する保持枠４５１２を備える。
保持枠４５１２は、液晶パネル４５１１を収納保持する部材であり、光束入射側に配置される平面視矩形状の保持枠本体４５１３と、光束射出側に配置される平面視矩形状の遮光板４５１４とを備える。
【００３４】
保持枠本体４５１３は、光束射出側において、液晶パネル４５１１の外形形状に対応して光束入射側に向けて窪み、液晶パネル４５１１を収納する凹部４５１３Ａを有する。また、凹部４５１３Ａの底部分には、液晶パネル４５１１の画像形成領域に対応した開口部４５１３Ｂが形成されている。
遮光板４５１４は、具体的な図示は省略したが、平面視略矩形状の板体で構成され、平面視略中央部分に液晶パネル４５１１の画像形成領域に対応した開口部を有し、保持枠本体４５１３の光束射出側端面に接続する。そして、遮光板４５１４を保持枠本体４５１３の光束射出側端面に接続することで、液晶パネル４５１１を透過した光が、射出側偏光板４５３あるいはクロスダイクロイックプリズム４５４等で反射して液晶パネル４５１１の駆動部にあたり液晶パネル４５１１が誤動作することを防止している。
この遮光板４５１４において、上方側の各角隅部分、および下方側の左右方向略中心部分には、保持枠本体４５１３の外形よりも外側に張り出し、光変調装置４５１を保持部材４５７に固定するための張出固定部４５１４Ａがそれぞれ形成されている。
【００３５】
一対の台座４５５は、クロスダイクロイックプリズム４５４における各光束入射側端面４５４１Ａに交差する一対の端面（図２中、各上下面）にそれぞれ固定され、クロスダイクロイックプリズム４５４の各光束入射側端面４５４１Ａに対向する状態で各部材４５１，４５３，４５６，４５７を支持固定する部材である。
なお、以下では、説明の便宜上、一対の台座４５５のうち、上方側（＋Ｙ軸方向側）に配設される台座を上方側台座４５５Ａ、下方側（−Ｙ軸方向側）に配設される台座を下方側台座４５５Ｂとする。
【００３６】
上方側台座４５５Ａは、熱伝導性を有するアルミニウム等の板材に板金加工を施すことにより形成されたものであり、図２に示すように、基部４５５１と、３つの側面部４５５２と、支持固定部４５５３とを備える。
基部４５５１は、クロスダイクロイックプリズム４５４の上面と略同一の外形形状を有する平面視正方形状を有し、クロスダイクロイックプリズム４５４の上面に対して紫外線硬化型接着剤等の光硬化型接着剤により接着固定される部分である。
この基部４５５１には、クロスダイクロイックプリズム４５４に対向する方向（図２中、Ｙ軸方向）に貫通形成された円形状の貫通孔４５５１Ａが形成されている。
【００３７】
３つの側面部４５５２は、各光束入射側端面４５４１Ａに略平行するように基部４５５１に対して折り曲げられ、上方側台座４５５Ａの側面を構成する部分である。
この側面部４５５２には、光束入射側から見て左右に並列して、保持部材４５７を固定するための矩形状の一対の固定用孔４５５２Ａが貫通形成されている。
また、この側面部４５５２には、一対の固定用孔４５５２Ａの略中心位置に、偏光板支持部材４５６を固定するためのねじ孔４５５２Ｂが貫通形成されている。
【００３８】
支持固定部４５５３は、光束射出側端面４５４２Ａに略平行するように基部４５５１に対して折り曲げられ、先端部分がさらに光束射出側に向けて折り曲げられ、光学部品用筐体４６に固定される部分である。すなわち、支持固定部４５５３における光束射出側に向けて折り曲げられた部分を光学部品用筐体４６に当接し、前記折り曲げられた部分を介して図示しない固定ねじを上方側または下方側から挿通し、光学部品用筐体４６に固定ねじを螺合することで、光学装置本体４５Ａ全体が光学部品用筐体４６に支持固定される。
そして、上述した基部４５５１および支持固定部４５５３には、クロスダイクロイックプリズム４５４に固定される固定面から支持固定部４５５３にかけて切り欠かれた切り欠き部４５５３Ａが形成されている。
【００３９】
なお、下方側台座４５５Ｂは、図２に示すように、上述した上方側台座４５５Ａに対して貫通孔４５５１Ａが省略されている点が異なるのみであり、その他の構成は上方側台座４５５Ａと同様のものである。
【００４０】
偏光板支持部材４５６は、射出側偏光板４５３を支持し、各台座４５５の側面部４５５２に固定する部材である。この偏光板支持部材４５６は、熱伝導性を有するアルミニウム等の板材に板金加工を施すことにより形成されたものであり、図２に示すように、支持部材本体４５６１と、上方側固定部４５６２と、下方側固定部４５６３とを備える。
支持部材本体４５６１は、平面視略矩形状の板体で構成され、略中心位置に射出側偏光板４５３の外形形状よりも小さい平面視矩形状の開口部４５６１Ａが形成されている。そして、射出側偏光板４５３は、支持部材本体４５６１の光束入射側端面において、開口部４５６１Ａの周縁部分に接着剤等により固定される。
【００４１】
上方側固定部４５６２は、支持部材本体４５６１の上端縁略中心位置から支持部材本体４５６１の板面に沿って上方側に延出し、上方側台座４５５Ａに固定される部分である。
この上方側固定部４５６２には、上方側台座４５５Ａのねじ孔４５５２Ｂに対応する位置に円孔４５６２Ａが形成されている。そして、円孔４５６２Ａを介して固定ねじＳｃ１を挿通し、ねじ孔４５５２Ｂに固定ねじＳｃ１を螺合することで、偏光板支持部材４５６が上方側台座４５５Ａに固定される。
【００４２】
下方側固定部４５６３は、支持部材本体４５６１の下端縁略中心位置から支持部材本体４５６１の板面に沿って下方側に延出し、下方側台座４５５Ｂに固定される部分である。
この下方側固定部４５６３には、下方側台座４５５Ａのねじ孔４５５２Ｂに対応する位置にトラック孔４５６３Ａが形成されている。このトラック孔４５６３Ａは、円孔４５６２Ａを中心とする円弧状に延びる形状を有している。そして、トラック孔４５６３Ａを介して固定ねじＳｃ２を挿通し、ねじ孔４５５２Ｂに固定ねじＳｃ２を緩めた状態で螺合しておくことで、円孔４５６２Ａに挿入された固定ねじＳｃ１を中心として偏光板支持部材４５６を回転させる、すなわち、偏光板支持部材４５６に固定された射出側偏光板４５３の姿勢状態を調整可能となる。射出側偏光板４５３の姿勢状態を調整した後、ねじ孔４５５２Ｂに対して固定ねじＳｃ２を締め付けることで、偏光板支持部材４５６が下方側台座４５５Ｂに固定される。
【００４３】
保持部材４５７は、光変調装置４５１を保持し、各台座４５５の側面部４５５２に固定する部材である。この保持部材４５７は、熱伝導性を有するアルミニウム等の板材に板金加工を施すことにより形成されたものであり、図２に示すように、保持部材本体４５７１と、４つの固定用突出部４５７２とを備える。
保持部材本体４５７１は、平面視略矩形状の板体で構成され、略中心位置に光変調装置４５１の開口部４５１３Ｂに対応した開口部４５７１Ａが形成されている。
また、保持部材本体４５７１には、光変調装置４５１の３つの張出固定部４５１４Ａに対応した位置にねじ孔４５７１Ｂがそれぞれ形成されている。そして、３つの張出固定部４５１４Ａを介して固定ねじＳｃ３を挿通し、ねじ孔４５７１Ｂに固定ねじＳｃ３を螺合することで、光変調装置４５１が保持部材４５７に固定される。
【００４４】
４つの固定用突出部４５７２は、保持部材本体４５７１における上端縁の左右方向両端部側、および下端縁の左右方向両端部側にそれぞれ位置し、保持部材本体４５７１から光束入射側に向けて折り曲げられ、各台座４５５の各固定用孔４５５２Ａに挿入される部分である。そして、各固定用突出部４５７２は、先端に向うにしたがって細くなる形状を有している。
【００４５】
上述した光学装置本体４５Ａは、以下に示すように、製造される。
図３および図４は、光学装置本体４５Ａの製造時の状態を示す図である。具体的に、図３は、クロスダイクロイックプリズム４５４に対して各台座４５５を固定する状態を側方から見た図である。図３は、上方側台座４５５Ａに対して３つの保持部材４５７を固定する状態を上方側から見た図である。
先ず、クロスダイクロイックプリズム４５４の上下面に紫外線硬化型接着剤等の光硬化型接着剤を塗布する。そして、クロスダイクロイックプリズム４５４の上下面に各台座４５５の各基部４５５１を密着させる。
次に、クロスダイクロイックプリズム４５４に各台座４５５が密着した状態のユニットを、図３に示すように、ミラー１００に載置する。そして、前記ユニットの上方側から紫外線等の光を照射する。具体的に、上方側からの光の一部は、上方側台座４５５Ａの貫通孔４５５１Ａを介してクロスダイクロイックプリズム４５４および下方側台座４５５Ｂ間の光硬化型接着剤に照射される。また、下方側台座４５５Ｂに照射された光の一部は、該下方側台座４５５Ｂにて反射され、クロスダイクロイックプリズム４５４および上方側台座４５５Ａ間の光硬化型接着剤に照射される。さらに、上方側からの光の一部は、ミラー１００にて反射され、クロスダイクロイックプリズム４５４を介して、クロスダイクロイックプリズム４５４および上方側台座４５５Ａ間の光硬化型接着剤に照射される。
以上のようにして、各部材４５４，４５５間の光硬化型接着剤に光を照射して光硬化型接着剤を硬化させ、クロスダイクロイックプリズム４５４に対して各台座４５５を固定する。
【００４６】
次に、各射出側偏光板４５３がそれぞれ接着固定された各偏光板支持部材４５６を固定ねじＳｃ１，Ｓｃ２により各台座４５５に固定する。
次に、光変調装置４５１が固定ねじＳｃ３により固定された保持部材４５７の４つの固定用突出部４５７２の外周部分に光硬化型接着剤を塗布する。
次に、保持部材４５７の治具用保持部４５７３（図２）を図示しない位置調整治具に保持させ、図４に示すように、４つの固定用突出部４５７２の先端部分を各台座４５５の各固定用孔４５５２Ａに挿通させる。
【００４７】
上述した状態に設定した後、前記位置調整治具を用いて、クロスダイクロイックプリズム４５４に対して保持部材４５７（光変調装置４５１）を移動させる。そして、各固定用孔４５５２Ａと各固定用突出部４５７２との隙間分、保持部材４５７を移動させることで、アライメント調整（液晶パネル４５１１に入射する光軸に略直交する２方向（水平方向、鉛直方向）と、前記光軸を中心とする回転方向との調整）を実施する。また、各固定用孔４５５２Ａに対して各固定用突出部４５７２（保持部材４５７）を進退させることで、フォーカス調整（前記光軸に沿う方向と、水平方向に沿う軸を中心とした回転方向と、鉛直方向に沿う軸を中心とした回転方向との調整）を実施する。
そして、所定の位置に光変調装置４５１（液晶パネル４５１１）を位置付けた後、図４に示すように、上方側台座４５５Ａの上方側から紫外線等の光を照射することで、上方側に位置する６つの固定用孔４５５２Ａおよび６つの固定用突出部４５７２間の光硬化型接着剤を一括して硬化させる。同様に、下方側台座４５５Ｂの下方側から紫外線等の光を照射することで、下方側に位置する６つの固定用孔４５５２Ａおよび６つの固定用突出部４５７２間の光硬化型接着剤を一括して硬化させる。以上のように、光硬化型接着剤を硬化させることで、各台座４５５に対して保持部材４５７を固定する。
以上の工程を全ての光変調装置４５１に対して実施することで、光学装置本体４５Ａが製造される。
【００４８】
上述した第１実施形態によれば、以下の効果がある。
本実施形態では、光学装置本体４５Ａを構成する保持部材４５７は、光変調装置４５１を保持しつつ、各台座４５５の側面部４５５２に固定される。このことにより、クロスダイクロイックプリズム４５４の光束入射側端面４５４１Ａに光変調装置４５１を固定する領域が不要となる。このため、クロスダイクロイックプリズム４５４を小型化できる。また、光学装置本体４５Ａ、ひいては、プロジェクタ１の小型化が図れる。
また、各台座４５５の側面部４５５２に固定用孔４５５２Ａが形成され、保持部材４５７が固定用突出部４５７２を有しているので、上述した製造方法により光学装置本体４５Ａを容易に製造できる。
【００４９】
ここで、台座４５５は、各光束入射側端面４５４１Ａに対応して基部４５５１に立設される３つの側面部４５５２を備えている。すなわち、各側面部４５５２は、基部４５５１の外周縁において、基部４５５１を囲むように形成されている。そして、固定用孔４５５２Ａは、側面部４５５２に貫通形成されている。このことにより、クロスダイクロイックプリズム４５４に対する所望の位置に各光変調装置４５１を位置付けた後、基部４５５１に対向する側から紫外線等の光を照射することで、各光変調装置４５１をそれぞれ保持する各保持部材４５７の各固定用突出部４５７２と各側面部４５５２の各固定用孔４５５２Ａとの間の光硬化型接着剤に一括して光を照射し硬化させることができる。このため、光学装置本体４５Ａの製造時間を短縮できる。
【００５０】
また、本実施形態では、光学装置本体４５Ａを製造する製造装置としては、上述したように基部４５５１に対向する側から紫外線等の光を照射する構造を採用できるため、光変調装置４５１の設計変更等により、光変調装置４５１のサイズが変更された場合であっても、紫外線等の光を照射する構造を変更する必要がない。
【００５１】
また、２つの台座４５５のうち上方側台座４５５Ａには、貫通孔４５５１Ａが形成されている。このことにより、上方側台座４５５Ａの上方側から紫外線等の光を照射すれば、該光が貫通孔を介してクロスダイクロイックプリズム４５４に進入し、クロスダイクロイックプリズム４５４と各台座４５５Ａ，４５５Ｂとの間の光硬化型接着剤を同時に硬化させ、クロスダイクロイックプリズム４５４に対して各台座４５５Ａ，４５５Ｂを一括して固定できる。このため、光学装置本体４５Ａの製造時間を短縮できる。
【００５２】
さらに、各台座４５５には、切り欠き部４５５３Ａが形成されているので、光学装置本体４５Ａの製造時や、製造後に、光変調装置４５１等の交換が必要となった場合、切り欠き部４５５３Ａにドライバ等の工具を差し込むことができる。このため、クロスダイクロイックプリズム４５４に対して各台座４５５を容易に引き剥がすことができ、光変調装置４５１等を交換できる。
【００５３】
[第２実施形態]
次に、本発明の第２実施形態を図面に基づいて説明する。
以下の説明では、前記第１実施形態と同様の構造および同一部材には同一符号を付して、その詳細な説明は省略または簡略化する。
本実施形態では、前記第１実施形態に対して、光学部品用筐体４６への光学装置本体４５Ａの固定構造が異なる。その他の構成は、前記第１実施形態と同様のものである。
図５は、第２実施形態における光学部品用筐体４６への光学装置本体４５Ａの固定構造を示す分解斜視図である。なお、本実施形態では、光学装置本体４５Ａにおいて、光変調装置４５１、射出側偏光板４５３、偏光板支持部材４５６、および保持部材４５７は前記第１実施形態で説明した構成と同様であるため、図５では、これら各部材４５１，４５３，４５６，４５７を省略している。
【００５４】
本実施形態では、図５に示すように、光学装置本体４５Ａにおいて、上方側台座４５５Ａおよび下方側台座４５５Ｂの形状が前記第１実施形態と異なるものである。
上方側台座４５５Ａは、図５に示すように、前記第１実施形態に対して、形状の異なる支持固定部４５５４を備える。
支持固定部４５５４は、基部４５５１に沿って光束射出側に延出するとともに、Ｘ軸方向両端部がＸ軸方向に沿って外側に張り出した平面視矩形形状を有する。
そして、支持固定部４５５４における一対の張り出し部分４５５５Ａ，４５５５Ｂのうち、＋Ｘ軸方向側の張り出し部分４５５５Ａの下面には、第１嵌合部４５５６が形成されている。
【００５５】
図６は、第１嵌合部４５５６および第１嵌合孔５０４１の構造を示す斜視図である。
第１嵌合部４５５６は、図６に示すように、張り出し部分４５５５Ａの下面から下方側に突出し、光学部品用筐体４６の後述する第１嵌合孔５０４１に嵌合する部分である。この第１嵌合部４５５６は、第１嵌合部本体４５５６Ａと、第１付勢部４５５６Ｂとを備え、全体略四角柱形状を有している。
第１嵌合部本体４５５６Ａは、Ｚ軸（画像光の光軸）に略直交するＸＹ平面に沿って延出する側面４５５６Ａ１、Ｘ軸に略直交するＹＺ平面に沿って延出する側面４５５６Ａ２、各側面４５５６Ａ１，４５５６Ａ２にそれぞれ対向する各側面４５５６Ａ３，４５５６Ａ４、ＸＹ平面およびＹＺ平面に略４５°傾斜した平面に沿って延出し各側面４５５６Ａ３，４５５６Ａ４に接続する側面４５５６Ａ５を有する全体略五角柱形状に形成されている。
【００５６】
第１付勢部４５５６Ｂは、第１嵌合部本体４５５６Ａの側面４５５６Ａ５に対して所定間隔、空けた位置に設けられ、第１嵌合部本体４５５６Ａの側面４５５６Ａ５に対向する側面４５５６Ｂ１を有する全体略三角柱形状に形成されている。そして、この第１付勢部４５５６Ｂにおいて、第１嵌合部本体４５５６Ａから離間する側の角部分には、面取り加工が施され、側面４５５６Ｂ１および他の２つの側面４５５６Ｂ２，４５５６Ｂ３に接続する傾斜面４５５６Ｂ４が形成されている。
以上のような構成により、第１嵌合部４５５６は、傾斜面４５５６Ｂ４が側面４５５６Ａ１に対して傾斜し、側面４５５６Ａ１および傾斜面４５５６Ｂ４を通りＹＺ平面にて切断した切断面を見た場合に、楔形状を有している。
そして、この第１付勢部４５５６Ｂは、その寸法や材質等により、第１嵌合部４５５６が第１嵌合孔５０４１に嵌合する際、傾斜面４５５６Ｂ４が第１嵌合孔５０４１の縁部に当接しつつ、先端が第１嵌合部本体４５５６Ａ側に移動し、第１嵌合部本体４５５６Ａの各側面４５５６Ａ１，４５５６Ａ２を第１嵌合孔５０４１の各内側面に向けて付勢する。
【００５７】
また、支持固定部４５５４において、＋Ｚ軸方向端縁の略中央部分には、図５に示すように、＋Ｚ軸方向に延出し、光学部品用筐体４６に載置された状態で固定ねじＳｃ４にて固定される載置固定部４５５７が形成されている。
【００５８】
下方側台座４５５Ｂは、図５に示すように、前記第１実施形態に対して、支持固定部４５５３が省略されている。そして、下方側台座４５５Ｂの基部４５５１には、第２嵌合部４５５８が形成されている。
【００５９】
図７は、第２嵌合部４５５８と第２嵌合孔５０６１との構造を示す斜視図である。
第２嵌合部４５５８は、図７に示すように、基部４５５１の板面から下方側に突出し、光学部品用筐体４６の後述する第２嵌合孔５０６１に嵌合する部分である。この第２嵌合部４５５８は、第２嵌合部本体４５５８Ａと、第２付勢部４５５８Ｂとを備え、全体略四角柱形状を有している。
第２嵌合部本体４５５８Ａは、Ｚ軸（画像光の光軸）に略直交するＸＹ平面に沿って延出する側面４５５８Ａ１、Ｘ軸に略直交するＹＺ平面に沿って延出する側面４５５８Ａ２、各側面４５５８Ａ１，４５５８Ａ２にそれぞれ対向する各側面４５５８Ａ３，４５５８Ａ４を有する全体略四角柱形状に形成されている。
【００６０】
第２付勢部４５５８Ｂは、第２嵌合部本体４５５８Ａの側面４５５８Ａ３に対して所定間隔、空けた位置に設けられ、第２嵌合部本体４５５８Ａの側面４５５８Ａ３に対向する各側面４５５８Ｂ１，４５５８Ｂ３、第２嵌合部本体４５５８Ａの各側面４５５８Ａ２，４５５８Ａ４にそれぞれ略平行する各側面４５５８Ｂ２，４５５８Ｂ３を有する全体略四角柱形状に形成されている。そして、この第２付勢部４５５８Ｂにおいて、第２嵌合部本体４５５８Ａから離間する側の角部分には、面取り加工が施され、側面４５５８Ｂ２〜４５５８Ｂ４に接続する傾斜面４５５８Ｂ５が形成されている。
以上のような構成により、第２嵌合部４５５８は、傾斜面４５５８Ｂ５が側面４５５８Ａ１に対して傾斜し、側面４５５８Ａ１および傾斜面４５５８Ｂ５を通りＹＺ平面にて切断した切断面を見た場合に、楔形状を有している。
そして、この第２付勢部４５５８Ｂは、その寸法や材質等により、第２嵌合部４５５８が第２嵌合孔５０６１に嵌合する際、傾斜面４５５８Ｂ５が第２嵌合孔５０６１の縁部に当接しつつ、先端が第２嵌合部本体４５５８Ａ側に移動し、第２嵌合部本体４５５８Ａの側面４５５８Ａ１を第２嵌合孔５０６１の内側面に向けて付勢する。
【００６１】
また、本実施形態では、図５に示すように、光学装置本体４５Ａおよび投射レンズ３の双方を支持固定する光学装置固定部材５０が光学部品用筐体４６に一体形成されている。
光学装置固定部材５０は、光学部品用筐体４６において、光学装置本体４５Ａおよび投射レンズ３の間に位置する側壁に設けられ、平面視略矩形形状を有する。
この光学装置固定部材５０において、略中央部分には、光学装置本体４５Ａから射出された画像光を通過させるための矩形状の開口部５０１が形成されている。
【００６２】
また、光学装置固定部材５０において、上端面には、Ｘ軸方向に並列して、投射レンズ３を固定するためのナットＮが挿入される凹部５０２がそれぞれ形成されている。また、同様に、下端面には、２つの凹部５０２が形成されている。なお、具体的な図示は省略したが、光学装置固定部材５０の＋Ｚ軸方向端面５０３には、各凹部５０２に貫通し、投射レンズ３を固定するための固定ねじＳｃ５が挿入される孔がそれぞれ形成されている。
ここで、光学装置固定部材５０の＋Ｚ軸方向端面５０３は、Ｚ軸（画像光の光軸）に略直交するＸＹ平面に沿って延出し、投射レンズ３のＺ軸方向の位置を規定するレンズ位置基準面として機能する。
【００６３】
また、投射レンズ３は、図５に示すように、複数のレンズ（図示略）を収納する鏡筒３１と、鏡筒３１の基端側に設けられ、鏡筒３１の外側に向けてＸＹ平面に沿って延出するフランジ部３２を備える。
そして、フランジ部３２の−Ｚ軸方向端面３２１は、Ｚ軸（画像光の光軸）に略直交するＸＹ平面に沿って延出し、投射レンズ３が光学装置固定部材５０に固定される際、光学装置固定部材５０のレンズ位置基準面５０３に当接するレンズ当接面として機能する。すなわち、フランジ部３２を介して各固定ねじＳｃ５を挿通し、各凹部５０２に挿入された各ナットＮに各固定ねじＳｃ５を螺合することで、レンズ位置基準面５０３にレンズ当接面３２１が押し当てられた状態で、光学装置固定部材５０の光束射出側に投射レンズ３が固定される。
【００６４】
さらに、光学装置固定部材５０において、光束入射側の上端部には、Ｘ軸方向に並列して、ＸＺ平面に略平行に延出する２つの第１延出部５０４，５０５が形成されている。
これら２つの第１延出部５０４，５０５は、その上端面に、光学装置本体４５Ａにおける一対の張り出し部分４５５５Ａ，４５５５Ｂが載置される部分である。
２つの第１延出部５０４，５０５のうち、＋Ｘ軸方向側の第１延出部５０４には、張り出し部分４５５５Ａに形成された第１嵌合部４５５６に対応する位置に、上下に貫通した凹部としての第１嵌合孔５０４１が形成されている。
【００６５】
この第１嵌合孔５０４１は、図５または図６に示すように、第１嵌合部４５５６の断面略四角形状の外形形状と略同一の外形形状を有し、各第１延出部５０４，５０５に一対の張り出し部分４５５５Ａ，４５５５Ｂが載置される際に、第１嵌合部４５５６が嵌合する部分である。
より具体的に、第１嵌合孔５０４１において、４つの内側面の１つの内側面５０４１Ａは、図６に示すように、Ｚ軸（画像光の光軸）に略直交するＸＹ平面に沿って延出し、光学装置本体４５ＡのＺ軸方向の位置を規定するＺ軸位置基準面として機能する。また、他の１つの内側面５０４１Ｂは、Ｘ軸に略直交するＹＺ平面に沿って延出し、光学装置本体４５ＡのＸ軸方向の位置を規定するＸ軸位置基準面として機能する。
すなわち、第１嵌合部４５５６が第１嵌合孔５０４１に嵌合した際には、上述したように、第１付勢部４５５６Ｂにより第１嵌合部本体４５５６Ａが＋Ｚ軸方向および＋Ｘ軸方向に付勢され、第１嵌合部本体４５５６Ａの各側面４５５６Ａ１，４５５６Ａ２がＺ軸位置基準面５０４１ＡおよびＸ軸位置基準面５０４１Ｂに押し当てられる。そして、光学装置本体４５ＡのＺ軸方向およびＸ軸方向の位置が規定される。
以上のように、側面４５５６Ａ１は、本発明に係る当接面に相当する。
【００６６】
また、光学装置固定部材５０において、光束入射側の下端部には、ＸＺ平面に略平行に延出する第２延出部５０６が形成されている。
この第２延出部５０６は、その上端面に、光学装置本体４５Ａにおける下方側台座４５５Ｂの基部４５５１が載置される部分である。なお、光学装置本体４５Ａは、一対の張り出し部分４５５５Ａ，４５５５Ｂが各第１延出部５０４，５０５に載置されるとともに、下方側台座４５５Ｂの基部４５５１が第２延出部５０６に載置されることで、Ｙ軸方向の位置が規定されるものである。
【００６７】
そして、この第２延出部５０６には、下方側台座４５５Ｂに形成された第２嵌合部４５５８に対応する位置に、上下に貫通した凹部としての第２嵌合孔５０６１が形成されている。
この第２嵌合孔５０６１は、図５または図７に示すように、第２嵌合部４５５８の断面略四角形状の外形形状と略同一の外形形状を有し、第２延出部５０６に下方側台座４５５Ｂの基部４５５１が載置される際に、第２嵌合部４５５８が嵌合する部分である。
より具体的に、第２嵌合孔５０６１において、４つの内側面の１つの内側面５０６１Ａは、図７に示すように、Ｚ軸（画像光の光軸）に略直交するＸＹ平面に沿って延出し、光学装置本体４５ＡのＺ軸方向の位置を規定するＺ軸位置基準面として機能する。
すなわち、第２嵌合部４５５８が第２嵌合孔５０６１に嵌合した際には、上述したように、第２付勢部４５５８Ｂにより第２嵌合部本体４５５８Ａが＋Ｚ軸方向に付勢され、第２嵌合部本体４５５８Ａの側面４５５８Ａ１がＺ軸位置基準面５０６１Ａに押し当てられる。そして、光学装置本体４５ＡのＺ軸方向の位置が規定される。
以上のように、側面４５５８Ａ１は、本発明に係る当接面に相当する。
【００６８】
そして、光学装置本体４５Ａは、上述したように各嵌合孔５０４１，５０６１に各嵌合部４５５６，４５５８を嵌合した状態で、載置固定部４５５７を介して固定ねじＳｃ５を挿通し、光学装置固定部材５０の上端面に形成されたねじ孔５０７に固定ねじＳｃ５を螺合することで、各側面４５５６Ａ１，４５５８Ａ１，４５５６Ａ２が各Ｚ軸位置基準面５０４１Ａ，５０６１ＡおよびＸ軸位置基準面５０４１Ｂに押し当てられながら、光学装置固定部材５０に固定される。
【００６９】
上述した第２実施形態によれば、前記第１実施形態で説明した効果の他、以下の効果がある。
本実施形態では、プロジェクタ１は、光学装置本体４５Ａから射出される画像光の光軸（Ｚ軸）に略直交して延出するＺ軸位置基準面５０４１Ａ，５０６１Ａを有する光学装置固定部材５０を備える。そして、光学装置本体４５Ａは、Ｚ軸に略直交して延出する当接面４５５６Ａ１，４５５８Ａ１がＺ軸位置基準面５０４１Ａ，５０６１Ａに押し当てられた状態で、すなわち、Ｚ軸方向の位置が規定された状態でプロジェクタ１内部に固定される。このことにより、光学装置本体４５Ａを製造した後にプロジェクタ１内部に搭載する際、光学装置本体４５ＡをＺ軸方向にガタツキのない状態でプロジェクタ１内部に固定できる。このため、投射レンズ３のバックフォーカス位置から各光変調装置４５１がずれた位置に位置付けられることがなく、プロジェクタ１から投射される投影画像のフォーカス精度を良好に維持し、鮮明な投影画像を表示できる。
【００７０】
ここで、光学装置固定部材５０は、内側面の一部に各Ｚ軸位置基準面５０４１Ａ，５０６１Ａがそれぞれ形成された各嵌合孔５０４１，５０６１を有する。また、光学装置本体４５Ａを構成する各台座４５５は、外側面の一部に各当接面４５５６Ａ１，４５５８Ａ１が形成された各嵌合部４５５６，４５５８を有する。そして、各嵌合部４５５６，４５５８は、楔形状を有する。このことにより、各嵌合孔５０４１，５０６１に各嵌合部４５５６，４５５８を嵌合させる際に、各嵌合部４５５６，４５５８は、各嵌合孔５０４１，５０６１の縁部に各傾斜面４５５６Ｂ４，４５５８Ｂ５が当接した状態で、さらに各嵌合孔５０４１，５０６１に対して挿入することで、各嵌合孔５０４１，５０６１の各Ｚ軸位置基準面５０４１Ａ，５０６１Ａに向けて付勢されることとなる。このため、各嵌合部４５５６，４５５８は、各Ｚ軸位置基準面５０４１Ａ，５０６１Ａに各当接面４５５６Ａ１，４５５８Ａ１が押し当てられた状態で、各嵌合孔５０４１，５０６１に対して嵌合する。したがって、各嵌合孔５０４１，５０６１に対して各嵌合部４５５６，４５５８を嵌合させるだけで、光学装置本体４５ＡのＺ軸方向の位置を規定できる。
【００７１】
さらに、光学装置固定部材５０は、光学部品用筐体４６に一体形成されている。このことにより、光学部品用筐体４６および光学装置固定部材５０間の位置ずれが生じず、光学装置本体４５Ａを光学装置固定部材５０（光学部品用筐体４６）に固定することで、光学装置本体４５ＡのＺ軸方向の位置を確実に規定できる。
【００７２】
[第３実施形態]
次に、本発明の第３実施形態を図面に基づいて説明する。
以下の説明では、前記第１実施形態および前記第２実施形態と同様の構造および同一部材には同一符号を付して、その詳細な説明は省略または簡略化する。
本実施形態では、前記第２実施形態に対して、光学装置固定部材５０が光学部品用筐体４６と別体で設けられる点、および該光学装置固定部材５０への光学装置本体４５Ａの固定構造が異なる。その他の構成は、前記第２実施形態と略同様のものである。
図８は、第３実施形態における光学装置固定部材５０への光学装置本体４５Ａの固定構造を示す分解斜視図である。なお、図８では、前記第２実施形態で説明した図５と同様に、各部材４５１，４５３，４５６，４５７を省略している。
【００７３】
本実施形態では、光学装置固定部材５０は、前記第２実施形態とは異なり、図８に示すように、光学部品用筐体４６とは別体で構成され、投射レンズ３に対して固定ねじＳｃ６により一体的に設けられる。
この光学装置固定部材５０は、平面視矩形状の板体で構成されている。
この光学装置固定部材５０において、略中央部分には、光学装置本体４５Ａから射出された画像光を通過させるための矩形状の開口部５１１が形成されている。
また、この光学装置固定部材５０において、開口部５１１の四隅角位置近傍には、投射レンズ３に固定するためのねじ孔５１２がそれぞれ形成されている。
ここで、投射レンズ３の鏡筒３１の基端側には、各ねじ孔５１２に対応して、鏡筒３１から外側に張り出したフランジ部３３が形成されている。
そして、光学装置固定部材５０は、フランジ部３３を介して各固定ねじＳｃ６を挿通し、各ねじ孔５１２に各固定ねじＳｃ６を螺合することで、投射レンズ３に一体的に固定される。
【００７４】
さらに、この光学装置固定部材５０において、開口部５１１の上方側には、Ｘ軸方向に並列して、光学装置本体４５Ａを固定するための２つのねじ孔５１３が形成されている。開口部５１１の下方側にも同様に、２つのねじ孔５１３が形成されている。
ここで、光学装置固定部材５０の−Ｚ軸方向端面５１４は、Ｚ軸（画像光の光軸）に略直交するＸＹ平面に沿って延出し、光学装置本体４５ＡのＺ軸方向の位置を規定するＺ軸位置基準面として機能する。
【００７５】
また、本実施形態では、図８に示すように、光学装置本体４５Ａにおいて、上方側台座４５５Ａおよび下方側台座４５５Ｂの形状が前記第１実施形態と異なるものである。
なお、上方側台座４５５Ａおよび下方側台座４５５Ｂの形状は、同一の形状であるため、以下では、上方側台座４５５Ａのみを説明する。
上方側台座４５５Ａは、図８に示すように、前記第１実施形態に対して、形状の異なる支持固定部４５５９を備える。
【００７６】
支持固定部４５５９は、基部４５５１に対して３段階で折り曲げられ、略クランク形状を有する。
そして、支持固定部４５５９の先端部分４５５９Ａの＋Ｚ軸方向端面４５５９Ａ１は、Ｚ軸（画像光の光軸）に略直交するＸＹ平面に沿って延出し、光学装置本体４５Ａが光学装置固定部材５０に固定される際、光学装置固定部材５０のＺ軸位置基準面５１４に当接する。
また、先端部分４５５９Ａには、光学装置固定部材５０の各ねじ孔５１３に対応する位置に、表裏を貫通し、各固定ねじＳｃ８を挿通するための円孔４５５９Ａ２が形成されている。
【００７７】
そして、上方側台座４５５Ａおよび下方側台座４５５Ｂの各円孔４５５９Ａ２を介して各固定ねじＳｃ８を挿通し、光学装置固定部材５０の各ねじ孔５１３に螺合することで、Ｚ軸位置基準面５１４に各支持固定部４５５９の＋Ｚ軸方向端面４５５９Ａ１が押し当てられた状態で、光学装置固定部材５０の光束入射側に光学装置本体４５Ａが固定される。
すなわち、＋Ｚ軸方向端面４５５９Ａ１は、本発明に係る当接面に相当する。
光学装置固定部材５０を介して投射レンズ３および光学装置本体４５Ａが一体化された後、該一体化されたユニットは、光学部品用筐体４６内部の所定位置に固定される。
【００７８】
上述した第３実施形態によれば、前記第１実施形態および前記第２実施形態で説明した効果の他、以下の効果がある。
本実施形態では、光学装置固定部材５０は、板面がＺ軸位置基準面５１４となる板状に構成されている。また、光学装置本体４５Ａを構成する各台座４５５は、板面が当接面４５５９Ａ１となる板状の支持固定部４５５９を有する。このことにより、Ｚ軸位置基準面５１４に各支持固定部４５５９の各当接面４５５９Ａ１を当接した状態で、固定ねじＳｃ８により各支持固定部４５５９と光学装置固定部材５０とを締結することで、光学装置本体４５ＡのＺ軸方向の位置を規定した状態で光学装置固定部材５０に対して光学装置本体４５Ａを固定できる。このため、光学装置本体４５ＡのＺ軸方向の位置を規定する構造を簡素な構造で実現できる。
【００７９】
さらに、光学装置固定部材５０は、光学部品用筐体４６とは別体で構成され、投射レンズ３のフランジ部３３に取り付けられている。このことにより、光学装置本体４５Ａを光学装置固定部材５０に固定することで、光学装置本体４５Ａを投射レンズ３に対して直接、固定することができる。このため、光学装置固定部材５０を介して投射レンズ３および光学装置本体４５Ａを一体化したユニットを光学部品用筐体４６内部に搭載した後、光学部品用筐体４６内部において前記ユニットの位置がずれた場合であっても、投射レンズ３のバックフォーカス位置から各光変調装置４５１がずれることがない。
【００８０】
[第４実施形態]
次に、本発明の第４実施形態を図面に基づいて説明する。
以下の説明では、前記第１実施形態ないし前記第３実施形態と同様の構造および同一部材には同一符号を付して、その詳細な説明は省略または簡略化する。
本実施形態では、前記第２実施形態に対して、光学装置固定部材５０の構成が異なるとともに、該光学装置固定部材５０への光学装置本体４５Ａの固定構造が異なる。その他の構成は、前記第１実施形態と同様のものである。
図９は、第４実施形態における光学装置固定部材５０への光学装置本体４５Ａの固定構造を示す分解斜視図である。なお、図９では、前記第２実施形態で説明した図５および前記第３実施形態で説明した図８と同様に、各部材４５１，４５３，４５５〜４５７を省略している。
【００８１】
本実施形態では、図９に示すように、光学装置本体４５Ａにおいて、クロスダイクロイックプリズム４５４の形状が前記第１実施形態と異なるものである。
クロスダイクロイックプリズム４５４は、図９に示すように、略同一の断面形状を有している３つの第１三角柱プリズム４５４１に対して、第２三角柱プリズム４５４２が３つの第１三角柱プリズム４５４１の断面形状よりも大きい断面形状を有するように形成されている。このため、クロスダイクロイックプリズム４５４は、光束射出側において、対向する２つの各光束入射側端面４５４１Ａから外側に張り出した一対の張出部４５４２Ｂが設けられている。
【００８２】
また、本実施形態では、光学装置固定部材５０は、図９に示すように、前記第２実施形態と同様に、光学部品用筐体４６に一体形成されている。
光学装置固定部材５０は、光学部品用筐体４６において、光学装置本体４５Ａおよび投射レンズ３の間に位置する側壁が切り欠かれて形成されたものである。そして、光学装置固定部材５０は、切り欠き部分において、Ｙ軸方向に延出する一対の溝部５２１が形成されている。
一対の溝部５２１は、光学装置本体４５Ａから射出される画像光を挟んでＸ軸方向に対向配置され、クロスダイクロイックプリズム４５４の一対の張出部４５４２Ｂが挿入される部分である。
【００８３】
より具体的に、一対の溝部５２１において、＋Ｚ軸方向側の内側面５２１１は、Ｚ軸（画像光の光軸）に略直交するＸＹ平面に沿って延出し、光学装置本体４５ＡのＺ軸方向の位置を規定するＺ軸位置基準面として機能する。
すなわち、光学装置本体４５Ａを光学部品用筐体４６の上方側から、一対の張出部４５４２Ｂを一対の溝部５２１に沿ってスライド移動させ、光学部品用筐体４６に対して光学装置本体４５Ａを設置した際には、クロスダイクロイックプリズム４５４の光束射出側端面４５４２ＡがＺ軸位置基準面５２１１に押し当てられる。そして、光学装置本体４５ＡのＺ軸方向の位置が規定される。すなわち、光束射出側端面４５４２Ａは、本発明に係る当接面に相当する。
なお、上述したように光学部品用筐体４６に対して光学装置本体４５Ａを設置した後、例えば、支持固定部４５５３等を用いて固定ねじにより、光学部品用筐体４６に対して光学装置本体４５Ａが固定されるものである。
【００８４】
上述した第４実施形態によれば、前記第１実施形態ないし前記第３実施形態で説明した効果の他、以下の効果がある。
本実施形態では、クロスダイクロイックプリズム４５４を構成する第２三角柱プリズム４５４２は、対向する第１三角柱プリズム４５４１よりも断面形状が大きく形成され、クロスダイクロイックプリズム４５４を組み立てた際に、隣接する２つの第２三角柱プリズム４５４１の各光束入射側端面４５４１Ａから外側に張り出した一対の張出部４５４２Ｂが設けられる。そして、光学装置固定部材５０は、内側面の一部にＺ軸位置基準面５２１１が形成された一対の溝部５２１を有する。ここで、第２三角柱プリズム４５４２の断面形状が三角形状であるため、一対の張出部４５４２Ｂは、それぞれ楔形状を有するものとなる。このことにより、一対の張出部４５４２Ｂを一対の溝部５２１に挿入することで、一対の張出部４５４２Ｂは、一対の溝部５２１の縁部に光束射出側端面４５４２Ａを除く他の傾斜面が当接し、一対の溝部５２１のＺ軸位置基準面５２１１に向けて付勢されることとなる。このため、一対の張出部４５４２Ｂは、Ｚ軸位置基準面５２１１に光束射出側端面４５４２Ａが押し当てられた状態で、一対の溝部５２１に挿入される。したがって、一対の溝部５２１に対して一対の張出部４５４２Ｂを挿入するだけで、光学装置本体４５ＡのＺ軸方向の位置を規定できる。また、当接面がクロスダイクロイックプリズム４５４の光束射出側端面４５４２Ａで構成されているため、台座４５５等の他の部材に当接面を設ける必要がなく、光学装置本体４５Ａの構造の簡素化が図れる。
【００８５】
なお、本発明は前述の実施形態に限定されるものではなく、本発明の目的を達成できる範囲での変形、改良等は本発明に含まれるものである。
前記各実施形態において、台座４５５および保持部材４５７の構成は、前記実施形態で説明した構成に限らない。
例えば、台座４５５は、板材に板金加工を施すことにより、基部４５５１および側面部４５５２を設けていたが、これに限らず、ブロック状の部材で構成し、側面に固定用孔４５５２Ａを穿設する構成としても構わない。また、固定用孔４５５２Ａの数は、前記各実施形態で説明した数に限らず、その他の数、設けても構わない。保持部材４５７に設けられた固定用突出部４５７２の数も同様に、固定用孔４５５２Ａの数に対応して設ければよい。
【００８６】
前記各実施形態において、光学装置本体４５ＡのＺ軸方向の位置を規定する構造は、前記各実施形態で説明した構造に限らず、その他の構造を採用しても構わない。
例えば、前記第２実施形態では、光学装置固定部材５０に各嵌合孔５０４１，５０６１が形成され、光学装置本体４５Ａに各嵌合部４５５６，４５５８が形成されていたが、逆に、光学装置固定部材に各嵌合部を形成し、光学装置本体４５Ａに各嵌合孔を形成する構成を採用しても構わない。
また、前記第２実施形態では、各嵌合部４５５６，４５５８が楔状に形成されていたが、これに限らず、逆に、各嵌合孔５０４１，５０６１を楔状に形成しても構わない。
【００８７】
前記実施形態において、プロジェクタ１の構成は、前記各実施形態で説明した構成に限らない。
例えば、光源装置４１は、放電発光型の光源装置で構成していたが、これに限らず、レーザダイオード、ＬＥＤ（Light Emitting Diode）、有機ＥＬ（Electro Luminescence）素子、シリコン発光素子等の各種固体発光素子を採用してもよい。
また、光源装置４１を１つのみ用い色分離光学装置４３にて３つの色光に分離していたが、色分離光学装置４３を省略し、３つの色光をそれぞれ射出する３つの前記固体発光素子を光源装置として構成してもよい。
さらに、プロジェクタ１は、液晶パネル４５１１を３つ備える三板式のプロジェクタで構成していたが、これに限らず、液晶パネルを１つ備える単板式のプロジェクタで構成しても構わない。また、液晶パネルを２つ備えるプロジェクタや、液晶パネルを４つ以上備えるプロジェクタとして構成しても構わない。
前記実施形態では、スクリーンを観察する方向から投射を行うフロントタイプのプロジェクタの例のみを挙げたが、本発明は、スクリーンを観察する方向とは反対側から投射を行うリアタイプのプロジェクタにも適用可能である。
【産業上の利用可能性】
【００８８】
本発明の光学装置は、小型化が図れるため、プレゼンテーションやホームシアタ等に用いられるプロジェクタの光学装置に利用できる。
【図面の簡単な説明】
【００８９】
【図１】第１実施形態におけるプロジェクタの概略構成を模式的に示す図。
【図２】前記実施形態における光学装置本体の概略構成を示す分解斜視図。
【図３】前記実施形態における光学装置本体の製造時の状態を示す図。
【図４】前記実施形態における光学装置本体の製造時の状態を示す図。
【図５】第２実施形態における光学部品用筐体への光学装置本体の固定構造を示す分解斜視図。
【図６】前記実施形態における第１嵌合部および第１凹部の構造を示す斜視図。
【図７】前記実施形態における第２嵌合部および第２凹部の構造を示す斜視図。
【図８】第３実施形態における光学装置固定部材に対する光学装置本体の固定構造を示す分解斜視図。
【図９】第４実施形態における光学装置固定部材に対する光学装置本体の固定構造を示す斜視図。
【符号の説明】
【００９０】
１・・・プロジェクタ、３・・・投射光学装置（投射レンズ）、３１・・・鏡筒、３２，３３・・・フランジ部、４１・・・光源装置、４５・・・光学装置、４６・・・光学部品用筐体、５０・・・光学装置固定部材、４５１・・・光変調装置、４５４・・・クロスダイクロイックプリズム（色合成光学装置）、４５５・・・台座、４５７・・・保持部材、５１４，５０４１Ａ，５０６１Ａ，５２１１・・・位置基準面、５２１・・・溝部、４５４１・・・第１三角柱プリズム、４５４１Ａ・・・光束入射側端面、４５４２・・・第２三角柱プリズム、４５４２Ａ・・・光束射出側端面（当接面）、４５４２Ｂ・・・張出部、４５５１・・・基部、４５５１Ａ・・・貫通孔、４５５２・・・側面部、４５５２Ａ・・・固定用孔、４５５３Ａ・・・切り欠き部、４５５６Ａ１，４５５８Ａ１，４５５９Ａ１・・・当接面、４５５６・・・第１嵌合部、４５５６Ｂ４，４５５８Ｂ５・・・傾斜面、４５５８・・・第２嵌合部、４５５９・・・支持固定部、４５７２・・・固定用突出部、５０４１・・・第１嵌合孔（凹部）、５０６１・・・第２嵌合孔（凹部）。
【図１】
2009104041.tif 000003
【図２】
2009104041.tif 000004
【図３】
2009104041.tif 000005
【図４】
2009104041.tif 000006
【図５】
2009104041.tif 000007
【図６】
2009104041.tif 000008
【図７】
2009104041.tif 000009
【図８】
2009104041.tif 000010
【図９】
2009104041.tif 000011